(57)【要約】【課題】  消防ホースのホースを扁平状にしてホースの所定長さ毎に交互に折り返して折り畳み、これによって出来上がる折畳体を容易に結束することができるようにするとともに、結束を解いた後も消防ホースに付帯できるようにして、紛失の防止を図る。【解決手段】  ホース１を扁平状にして交互に折り返して折り畳んで出来上がるとともに給水側接続金具２及び放水側接続金具３が両側部の略中央に夫々位置する折畳体４の略中央に巻回される帯状部材で形成されたベルト体１０と、ベルト体１０に設けられ給水側接続金具２に挿通されてこの給水側接続金具２に保持されるループ状の保持部２０と、ベルト体１０の一端部１１側と他端部１２側とを着脱可能に連結する連結具３０とを備えた。【選択図】  図１
2014079311.tif 000002
【特許請求の範囲】
【請求項１】
ホースの一端に給水側に位置させられる給水側接続金具を備えるとともに上記ホースの他端に上記給水側接続金具に接続可能な関係にあり放水側に位置させられる放水側接続金具を備えた消防用ホースを結束するもので、
上記ホースを扁平状にして該ホースの所定長さ毎に交互に折り返して折り畳んで出来上がるとともに上記給水側接続金具及び放水側接続金具が両側部の略中央に夫々位置する折畳体の当該折畳体の略中央を結束する消防ホース用結束具であって、
上記折畳体の略中央に巻回される帯状部材で形成されたベルト体と、該ベルト体に設けられ上記給水側接続金具に挿通されて該給水側接続金具に保持されるループ状の保持部と、上記ベルト体の一端部側と他端部側とを着脱可能に連結する連結具とを備えたことを特徴とする消防ホース用結束具。
【請求項２】
上記保持部を、上記ベルト体と同じ幅の帯状部材で形成し、該ベルト体に連続形成したことを特徴とする請求項１記載の消防ホース用結束具。
【請求項３】
上記保持部を上記ベルト体の一端部に設け、上記連結具を、係合部と該係合部が係合する被係合部とを有したバックルで構成し、該連結具の係合部及び被係合部の何れか一方を上記ベルト体の他端部側に設け、上記連結具の係合部及び被係合部の何れか他方を上記保持部に設けたことを特徴とする請求項２記載の消防ホース用結束具。
【請求項４】
上記保持部を途中で切断して該保持部に基端部と先端部とを設けるとともに、該基端部及び先端部同士を着脱可能に連結する面ファスナを設けたことを特徴とする請求項２または３記載の消防ホース用結束具。
【請求項５】
上記保持部の内側に、滑り止め部材を付設したことを特徴とする請求項２乃至４何れかに記載の消防ホース用結束具。
【請求項６】
上記ベルト体に設けられ該ベルト体の長さ調整を行う長さ調整部材を備えたことを特徴とする請求項１乃至５何れかに記載の消防ホース用結束具。
【請求項７】
上記ベルト体に、筒状に形成されて上記ベルト体に挿通される取っ手を設けたことを特徴とする請求項１乃至６何れかに記載の消防ホース用結束具。
【発明の詳細な説明】
【技術分野】
【０００１】
本発明は、消防用ホースを結束する消防ホース用結束具に係り、特に、消防車や消火栓などの給水源との接続及び消防用ホース同士の接続の際、消防ホースを迅速に引き延ばして消火にあたることができるようにした消防ホース用結束具に関する。
【背景技術】
【０００２】
一般に、図５に示すように、消防ホースＨは、布製等のホース１を備え、このホース１の一端に給水側に位置させられ雌金具ともいわれる給水側接続金具２を備えるとともに、ホース１の他端に給水側接続金具２に接続可能な関係にあり放水側に位置させられ雄金具ともいわれる放水側接続金具３を備えて構成されている。
【０００３】
従来、このような消防ホースＨを結束する消防ホース用結束具は、例えば、実用新案登録第３１６１２５８号公報に掲載されたものが知られている。図５及び図６に示すように、この消防ホース用結束具１００は、消防用ホースＨを長さ方向の中間点付近から二重折りにして、折り返し部１０２を中心にして二重に巻取った巻取体１０１を結束するものである。巻取体１０１は、給水側接続金具２を露出させ、放水側接続金具３を給水側接続金具２のあるホース１の一端側で覆うように巻取られている。そして、この消防ホース用結束具１００は、巻取体１０１を給水側接続金具１とともに結束するゴム製の伸縮可能な帯状のベルト体１０４で構成されている。
【０００４】
そして、火事などでこの消防ホースＨを用いるときは、図６に示すように、結束具１００で結束した消防ホースＨの巻取体１０１を必要数用意し、消防士や消防団員等の作業員が、先ず、図６（ａ）に示すように、消防車や消火栓のある給水源Ｗのところに結束具１００で結束した最後位に位置することになる消防ホースＨの巻取体１０１を持ち来たし、巻取体１０１からベルト体１０４を外して結束を外す。次に、図６（ｂ）に示すように、二重巻の消防ホースＨを転がして巻きを解き、折り返し１０２を放水側に位置させる。その後、図６（ｃ）に示すように、放水側接続金具３を手で持って、折り返し部１０２よりも放水側に持ち来たし、ホース１を引き延ばす。そして、適時に給水側接続金具２を給水源Ｗに接続する。更に、この展開した消防ホースＨより前位において、結束具１００で結束した次の消防ホースＨの巻取体１００を持ち来たし、上記と同様に展開し、後位の消防ホースＨの放水側接続金具３に前位の給水側接続金具２を接続する。このようにして、順次、消防ホースＨの展開接続を行い、最後に最前位の消防ホースＨの放水側接続金具３に噴射ノズル（図示せず）を接続し、給水源Ｗから水を供給して、噴射ノズルから放水し、消火に当たる。
【０００５】
ところで、上記従来の消防ホース用結束具１００にあっては、二重に巻き取った巻取体１０１を結束するので、使用時に、消防ホースＨを展開する際に、作業員が、先ず、消防ホースＨの巻きを解いて、それから、放水側接続金具３を持って走らなければならないので、巻きを解く分の作業が余分にかかって、それだけ、作業効率が悪いという問題があった。
また、消防ホースＨを展開する際に、二重巻の消防ホースＨを転がして巻きを解くが、火災現場が登り坂の場合には、重力に逆らうので、転がしにくいことから、それだけ、消防ホースＨの展開作業が面倒で時間が掛かり、この点でも作業効率を悪くしているという問題があった。
【０００６】
これを解決するために、図７に示すように、消防ホースＨのホース１を扁平状にしてホース１の所定長さ毎に交互に折り返して折り畳み、これによって出来上がる折畳体４を結束具１００で結束することも行う。この場合には、図４に示すように、火事などでこの消防ホースＨを用いるときは、結束具１００で結束した消防ホースＨの折畳体４を必要数用意し、先ず、消防車や消火栓のある給水源Ｗのところに結束具１００で結束した最後位に位置することになる消防ホースＨの折畳体４を持ち来たし、給水側接続金具２を給水源Ｗ側に位置させ、放水側接続金具３を放水側に位置させ、この状態で、結束具１００を外す。次に、放水側接続金具３を手で持って走り、ホース１を引き延ばす。そして、適時に給水側接続金具２を給水源Ｗに接続する。更に、この展開した消防ホースＨより前位において、結束具１００で結束した次の消防ホースＨの折畳体４を持ち来たし、上記と同様に展開し、後位の消防ホースＨの放水側接続金具３に前位の給水側接続金具２を接続する。このようにして、順次、消防ホースＨの展開接続を行い、最後に最前位の消防ホースＨの放水側接続金具３に噴射ノズル（図示せず）を接続し、給水源Ｗから水を供給して、噴射ノズルから放水し、消火に当たる。これにより、結束具１００での結束を外した後、すぐに放水側接続金具３を手で持って走ることができるので、上記の巻きを解く作業がないことから、それだけ、作業効率が良くなる。また、火災現場が登り坂の場合にも、上記の巻きを解く作業がないことから、容易に対応でき、作業効率が良くなる。
【先行技術文献】
【特許文献】
【０００７】
【特許文献１】実用新案登録第３１６１２５８号公報
【発明の概要】
【発明が解決しようとする課題】
【０００８】
しかしながら、消防ホースＨのホース１を扁平状にしてホース１の所定長さ毎に交互に折り返して折り畳み、これによって出来上がる折畳体４を結束する場合、図７に示すように、給水側接続金具２と放水側接続金具３の拘束がないと、折畳体４の搬送時に両金具２，３がばたつき、搬送の邪魔になるととともに、作業員の頭、肩、腕などにぶつかり負傷する危険性があるという問題がある。
そのため、折畳体４を給水側接続金具２と放水側接続金具３とともに結束具１００で束ねることも行うことが考えられるが、この場合には、火災現場において使用した結束具１００は、消防ホースＨと分離してしまうことから、紛失してしまうことがあるという問題がある。また、この分離した結束具１００の回収作業にも時間が掛かってしまうという問題もある。
【０００９】
本発明は上記の問題点に鑑みてなされたもので、消防ホースのホースを扁平状にしてホースの所定長さ毎に交互に折り返して折り畳み、これによって出来上がる折畳体を容易に結束することができるようにするとともに、結束を解いた後も消防ホースに付帯できるようにして、紛失の防止を図った結束具を提供することを目的とする。
【課題を解決するための手段】
【００１０】
このような目的を達成するための本発明の消防ホース用結束具は、ホースの一端に給水側に位置させられる給水側接続金具を備えるとともに上記ホースの他端に上記給水側接続金具に接続可能な関係にあり放水側に位置させられる放水側接続金具を備えた消防用ホースを結束するもので、上記ホースを扁平状にして該ホースの所定長さ毎に交互に折り返して折り畳んで出来上がるとともに上記給水側接続金具及び放水側接続金具が両側部の略中央に夫々位置する折畳体の当該折畳体の略中央を結束する消防ホース用結束具であって、
上記折畳体の略中央に巻回される帯状部材で形成されたベルト体と、該ベルト体に設けられ上記給水側接続金具に挿通されて該給水側接続金具に保持されるループ状の保持部と、上記ベルト体の一端部側と他端部側とを着脱可能に連結する連結具とを備えた構成としている。
【００１１】
これにより、消防ホースを結束するときは、先ず、ホースを扁平状にしてホースの所定長さ毎に交互に折り返して折り畳むとともに、給水側接続金具及び放水側接続金具が両側部の略中央に夫々位置するように折畳んで、折畳体を形成する。
次に、本結束具の保持部を給水側接続金具に挿通するとともに、ベルト体を放水側接続金具を抱き込んで折畳体の略中央に巻回し、最後に、ベルト体の一端部側と他端部側とを連結する。この場合、保持部を給水側接続金具に挿通した状態でベルト体を巻き回すことができるので、巻き回す際に結束具の一部が消防ホースに支持されることから、安定して巻き回すことができる。また、連結具で連結するだけで結束が完了するので、作業が極めて容易に行われる。この状態で、例えば、消防車などに積載しておく。
【００１２】
また、火災時等で消防ホースを使用するときは、消防車などから結束した消防ホースを複数本所要の場所に搬送する。この場合、ベルト体を把持して搬送することができ、持ち運びが容易になる。また、この場合、給水側接続金具が保持部に保持され、放水側接続金具がベルト体とホースとの間に挟み付けられて押えられるので、給水側接続金具及び放水側接続金具の両金具がばたつく事態を防止することができ、搬送の邪魔になることがなく、作業員の頭、肩、腕などにぶつかって負傷する事態を防止することができる。
【００１３】
そして、消防車や消火栓等のある給水源のところに結束具で結束した最後位に位置することになる消防ホースの折畳体を持ち来たし、給水側接続金具を給水源側に位置させ、放水側接続金具を放水側に位置させ、この状態で、連結具を操作して結束具を外す。次に、放水側接続金具を手で持って走り、ホースを引き延ばす。そして、適時に給水側接続金具を給水源に接続する。更に、この展開した消防ホースより前位において、結束具で結束した次の消防ホースの折畳体を持ち来たし、上記と同様に展開し、後位の消防ホースの放水側接続金具に前位の給水側接続金具を接続する。この場合、結束具での結束を外した後、すぐに放水側接続金具を手で持って走ることができるので、二重巻にして結束する場合に比較して、巻きを解く作業がないことから、それだけ、作業効率が良くなる。また、火災現場が登り坂の場合にも、巻きを解く作業がないことから、容易に対応でき、作業効率が良くなる。
【００１４】
このようにして、順次、消防ホースの展開接続を行い、最後に最前位の消防ホースの放水側接続金具に噴射ノズルを接続し、給水源から水を供給して、噴射ノズルから放水し、消火に当たる。この放水作業中の状態においては、結束具は、その保持部が給水側接続金具に保持されているので、分離して離散することがなく、そのため、紛失してしまう事態を防止することができる。
【００１５】
消火作業が終了したならば、給水側接続金具及び放水側接続金具の接続を外し、集約して、持ち帰る。この場合においても、結束具は、その保持部が給水側接続金具に保持されているので、分離して離散することがなく、そのため、紛失してしまう事態を防止することができる。そして、その後、結束具の保持部を給水側接続金具から外して、結束具を分離し、各消防ホース、及び、結束具を洗浄する。そして、適宜乾燥後、再び上記と同様に、ホースを折り畳んで折畳体を形成し、この折畳体を結束具で結束して、消防車に積載するなどして保管し、次に備える。
【００１６】
そして、必要に応じ、上記保持部を、上記ベルト体と同じ幅の帯状部材で形成し、該ベルト体に連続形成した構成としている。保持部をベルト体と同じ幅の帯状部材で形成したので、幅があることから、給水側接続金具に確実に保持される。
【００１７】
また、必要に応じ、上記保持部を上記ベルト体の一端部に設け、上記連結具を、係合部と該係合部が係合する被係合部とを有したバックルで構成し、該連結具の係合部及び被係合部の何れか一方を上記ベルト体の他端部側に設け、上記連結具の係合部及び被係合部の何れか他方を上記保持部に設けた構成としている。保持部がベルト体の一端部に設けられているので、保持部を給水側接続金具に保持させたとき、ベルト体の一端部側が固定されるので安定し、ベルト体をその他端部側を保持部側に移動させるだけで、折畳体に巻き回すことができ、それだけ、巻回作業を容易に行うことができる。また、バックルの係合部及び被係合部の何れか一方がベルト体の他端部側にあり、他方が保持部にあるので、ベルト体を巻きまわした後すぐに係合部及び被係合部を係合させることができ、それだけ、連結を容易にすることができ、この点でも結束作業を容易に行うことができるようになる。
【００１８】
更に、必要に応じ、上記保持部を途中で切断して該保持部に基端部と先端部とを設けるとともに、該基端部及び先端部同士を着脱可能に連結する面ファスナを設けた構成としている。保持部を給水側接続金具に保持させるとき、面ファスナを外して、給水側接続金具に巻き付け、その後、面ファスナを閉じるだけでよく、単にループ状に形成した保持部に比較して、保持部の保持を容易にすることができる。また、面ファスナの止着位置を調整できることから、保持部を給水側接続金具にしっかりと巻き付けることができ、保持を確実にすることができる。また、面ファスナの止着位置を変えることで、ループの大きさを変えることができるので、給水側接続金具の種類が異なって形状や外径が異なっていても、これに容易に対応することができる。
【００１９】
更にまた、必要に応じ、上記保持部の内側に、滑り止め部材を付設した構成としている。滑り止め部材の摩擦抵抗によって、保持部が給水側接続金具から外れにくくなり、保持を確実にすることができる。
【００２０】
また、必要に応じ、上記ベルト体に設けられ該ベルト体の長さ調整を行う長さ調整部材を備えた構成としている。長さ調整できるので、ベルト体を折畳体に巻き付けたとき、ベルト体を目一杯きつく引き寄せて、連結具で連結できるので、結束が緩んで型崩れしないように消防ホースを結束することができる。
【００２１】
更に、必要に応じ、上記ベルト体に、筒状に形成されて上記ベルト体に挿通される取っ手を設けた構成としている。取っ手を設けたので、把持し易くなり、それだけ、消防ホースの搬送を容易にすることができる。
【発明の効果】
【００２２】
本発明によれば、消防ホースのホースを扁平状にしてホースの所定長さ毎に交互に折り返して折り畳み、これによって出来上がる折畳体を結束する際、保持部を給水側接続金具に挿通するとともに、ベルト体を放水側接続金具を抱き込んで折畳体の略中央に巻回し、最後に、ベルト体の一端部側と他端部側とを連結するだけで結束が完了するので、結束作業を容易に行うことができる。
また、火災時等で消防ホースを使用するときは、ベルト体を把持して搬送することができ、持ち運びが容易になる。また、給水側接続金具が保持部に保持され、放水側接続金具がベルト体で押えられるので、給水側接続金具及び放水側接続金具の両金具がばたつく事態を防止することができ、搬送の邪魔になることがないので、作業員の頭、肩、腕などにぶつかって負傷する事態を防止することができる。
更に、連結具を操作して結束具を外しても、結束具は、その保持部が給水側接続金具に保持されているので、分離して離散することがなく、そのため、紛失してしまう事態を防止することができる。
【図面の簡単な説明】
【００２３】
【図１】本発明の実施の形態に係る消防ホース用結束具を消防ホースの折畳体の結束状態で示す斜視図である。
【図２】本発明の実施の形態に係る消防ホース用結束具を展開した状態で示し、（ａ）は平面図、（ｂ）は一部断面側面図である。
【図３】本発明の実施の形態に係る消防ホース用結束具を消防ホースの折畳体の結束状態で示す側面図である。
【図４】消防ホース用結束具を折畳体から外してから消防ホースを展開するときの状態を示す工程図である。
【図５】従来の消防ホース用結束具を消防ホースの巻取体の結束状態で示す斜視図である。
【図６】従来の消防ホース用結束具を巻取体から外してから消防ホースを展開するときの状態を示す工程図である。
【図７】従来の消防ホース用結束具によって消防ホースの折畳体を結束した状態の一例を示す図である。
【発明を実施するための形態】
【００２４】
以下、添付図面に基づいて、本発明の実施の形態に係る消防ホース用結束具について詳細に説明する。尚、上記と同様のものには同一の符号を付して説明する。
図１乃至図４に示すように、本発明の実施の形態に係る消防ホース用結束具Ｋが結束する消防ホースＨは、ホース１の一端に給水側に位置させられる給水側接続金具２を備えるとともに、ホース１の他端に給水側接続金具２に接続可能な関係にあり放水側に位置させられる放水側接続金具３を備えたものである。
そして、本発明の実施の形態に係る消防ホース用結束具Ｋは、消防ホースＨの折畳体４の略中央を結束する。折畳体４は、ホース１を扁平状にしてホース１の所定長さ毎に交互に折り返して折り畳んで出来上がるとともに、給水側接続金具２及び放水側接続金具３が両側部の略中央に夫々位置するものである。一般に、消防ホースＨとしては、ホース１の外径が５５ｍｍと６５ｍｍｍの２種類のものが使用されている。これに対応して、給水側接続金具２及び放水側接続金具３の外径も異なっている。
【００２５】
本発明の実施の形態に係る消防ホース用結束具Ｋは、図１乃至図３に示すように、折畳体４の略中央に巻回される例えば布製の帯状部材で形成されたベルト体１０と、ベルト体１０に設けられ給水側接続金具２に挿通されて給水側接続金具２に保持されるループ状の保持部２０と、ベルト体１０の一端部１１側と他端部１２側とを着脱可能に連結する連結具３０とを備えている。
【００２６】
ベルト体１０には、ベルト体１０の長さ調整を行う長さ調整部材１３が設けられている。長さ調整部材１３は、図２に示すように、矩形リング状の本体１４の中央に仮設部材１５を架け渡して構成され、ベルト体１０の幅より僅かに大きい幅を有した第一スリット１６及び第二スリット１７を備えて構成されている。ベルト体１０は、折曲されて二重になっている部分を有し、この二重になった部分が重なった状態で、長さ調整部材１３の裏側から第一スリット１６に挿通され、表側から第二スリット１７に挿通され、この長さ調整部材１３に摩擦的に係合している。そして、二重になった部分の長さを変えて、折曲部１８の位置を変えることにより、長さ調整を行う。
また、ベルト体１０には、筒状に形成されてベルト体１０に挿通される可撓性の取っ手１９が設けられている。
【００２７】
保持部２０は、ベルト体１０と同じ幅の例えば布製の帯状部材で形成されており、ベルト体１０に連続形成されている。詳しくは、図２及び図３に示すように、保持部２０は途中で切断されており、これにより、この保持部２０に基端部２１と先端部２２とが設けられるとともに、この基端部２１及び先端部２２同士を着脱可能に連結する面ファスナ２３が設けられている。保持部２０は、面ファスナ２３の止着位置を変えることで、消防ホースＨのホース１の外径が５５ｍｍ及び６５ｍｍｍの両方の給水側接続金具２に対応できる長さに設定されている。即ち、保持部２０は、帯状のものであって、ベルト体１０の一端部１１に連続形成されており、ベルト体１０側を基端部２１とし、先端側を先端部２２とし、基端部２１と先端部２２を接合することによりループ状に形成される。
【００２８】
面ファスナ２３は、フックが密集したフック集合面部２４と、フックが係合するループが密集したループ集合面部２５とを備えており、フック集合面部２４及びループ集合面部２５のいずれか一方（実施の形態ではフック集合面部２４）が基端部２１の裏面側に設けられ、フック集合面部２４及びループ集合面部２５のいずれか他方（実施の形態ではループ集合面部２５）が先端部２２の表面側に設けられている。
また、保持部２０の内側には、ゴムなどで形成された滑り止め部材２６が付設されている。
【００２９】
連結具３０は、係合部３１と該係合部３１が係合する被係合部３２とを有したバックルで構成されている。このバックルからなる連結具３０の係合部３１及び被係合部３２の何れか一方（実施の形態では係合部３１）は、ベルト体１０の他端部１２側に設けられ、バックルからなる連結具３０の係合部３１及び被係合部３２の何れか他方（実施の形態では被係合部３２）は、保持部２０に設けられている。
詳しくは、図２に示すように、係合部３１は、孔明きのタングプレート３３と、このタングプレート３３を保持するベース部材３４とからなる。ベース部材３４は、ベルト体１０が挿通される挿通孔３５を有し、この挿通孔３５にベルト体１０を挿通させて、ベルト体１０の二重になる部分の折曲部１８の位置に位置させられる。
【００３０】
一方、被係合部３２は、タングプレート３３が挿通される孔部３６を有したブロック状に形成され、孔部３６に挿通されたタングプレート３３に係合してロックする図示外のロック部と、押釦動作によりロック部のロックを解除する解除ボタン３７とを備えて構成されている。被係合部３２の基端部には保持部２０の帯状部材が挿通される挿通孔３８が形成されており、被係合部３２は、この挿通孔３８に保持部２０の帯状部材を挿通させることにより保持部２０に設けられている。
【００３１】
従って、この実施の形態に係る消防ホース用結束具Ｋによって、消防ホースＨを結束するときは、図１及び図３に示すように、先ず、ホース１を扁平状にしてホース１の所定長さ毎に交互に折り返して折り畳むとともに、給水側接続金具２及び放水側接続金具３が両側部の略中央に夫々位置するように折畳んで、折畳体４を形成する。
次に、本結束具Ｋの保持部２０を給水側接続金具２に挿通する。この場合、面ファスナ２３を外して、保持部２０を給水側接続金具２に巻き付け、その後、面ファスナ２３を閉じる。そのため、保持部２０を単にループ状に形成して挿入する場合に比較して、保持部２０の保持を容易にすることができる。また、面ファスナ２３の止着位置を調整できることから、保持部２０を給水側接続金具２にしっかりと巻き付けることができ、保持を確実にすることができる。また、面ファスナ２３の止着位置を変えることで、保持部２０のループの大きさを変えることができるので、給水側接続金具２の種類が異なって形状や外径が異なっていても、これに容易に対応することができる。
【００３２】
次に、ベルト体１０を放水側接続金具３を抱き込んで折畳体４の略中央に巻回し、最後に、連結具３０の係合部３１と被係合部３２とを係合し、即ち、バックルのタングプレート３３を被係合部３２の孔部３６に挿入して係合ロックさせ、ベルト体１０の一端部１１側と他端部１２側とを連結する。この場合、保持部２０を給水側接続金具２に挿通した状態でベルト体１０を巻き回すことができるので、巻き回す際に結束具Ｋの一部が消防ホースＨに支持されることから、安定して巻き回すことができる。特に、保持部２０はベルト体１０の一端部１１に設けられているので、保持部２０を給水側接続金具２に保持させたとき、ベルト体１０の一端部１１側が固定されるので安定し、ベルト体１０をその他端部１２側を保持部２０側に移動させるだけで、折畳体４に巻き回すことができ、それだけ、巻回作業を容易に行うことができる。
【００３３】
また、この場合、バックルからなる連結具３０の係合部３１及び被係合部３２の何れか一方（実施の形態では係合部３１）がベルト体１０の他端部１２側にあり、他方（実施の形態では被係合部３２）が保持部２０にあるので、ベルト体１０を巻き回した後すぐに係合部３１及び被係合部３２を係合させることができ、それだけ、連結を容易にすることができ、この点でも結束作業を容易に行うことができるようになる。
【００３４】
更に、長さ調整部材１３により、ベルト体１０の長さ調整ができるので、ベルト体１０を折畳体４に巻き付けたとき、ベルト体１０を目一杯きつく引き寄せて、連結具３０で連結できるので、結束が緩んで型崩れしないように消防ホースＨを結束することができる。そして、この状態で、例えば、消防車などに積載しておく。
【００３５】
また、火災時等で消防ホースＨを使用するときは、消防車などから結束した消防ホースＨを複数本所要の場所に搬送する。この場合、ベルト体１０の取っ手１９を把持して搬送することができ、持ち運びが容易になる。
更にまた、この場合、給水側接続金具２が保持部２０に保持され、放水側接続金具３がベルト体１０とホース１との間に挟み付けられて押えられるので、給水側接続金具２及び放水側接続金具３の両金具２，３がばたつく事態を防止することができ、搬送の邪魔になることがないので、作業員の頭、肩、腕などにぶつかって負傷する事態を防止することができる。
【００３６】
そして、図４（ａ）に示すように、消防車や消火栓のある給水源Ｗところに結束具Ｋで結束した最後位に位置することになる消防ホースＨの折畳体４を持ち来たし、給水側接続金具２を給水源Ｗ側に位置させ、放水側接続金具３を放水側に位置させ、この状態で、バックルからなる連結具３０の解除ボタン３７を操作して、結束具Ｋを外す。次に、図４（ｂ）に示すように、放水側接続金具３を手で持って走り、ホース１を引き延ばす。そして、適時に給水側接続金具２を給水源Ｗに接続する。更に、この展開した消防ホースＨより前位において、結束具Ｋで結束した次の消防ホースＨの折畳体４を持ち来たし、上記と同様に展開し、後位の消防ホースＨの放水側接続金具３に前位の給水側接続金具２を接続する。この場合、結束具Ｋでの結束を外した後、すぐに放水側接続金具３を手で持って走ることができるので、二重巻にして結束する場合（図５及び図６）に比較して、巻きを解く作業がないことから、それだけ、作業効率が良くなる。また、火災現場が登り坂の場合にも、巻きを解く作業がないことから、容易に対応でき、作業効率が良くなる。
【００３７】
このようにして、順次、消防ホースＨの展開接続を行い、最後に最前位の消防ホースＨの放水側接続金具３に噴射ノズル（図示せず）を接続し、給水源Ｗから水を供給して、噴射ノズルから放水し、消火に当たる。この放水作業中の状態においては、結束具Ｋは、その保持部２０が給水側接続金具２に保持されているので、分離して離散することがなく、そのため、紛失してしまう事態を防止することができる。この場合、保持部２０は、ベルト体１０と同じ幅の帯状部材で形成され、ベルト体１０に連続形成されているので、幅があることから、給水側接続金具２に確実に保持される。特に、保持部２０の内側に、滑り止め部材２６が付設されているので、滑り止め部材２６の摩擦抵抗によって、保持部２０が給水側接続金具２から外れにくくなり、保持を確実にすることができる。
【００３８】
消火作業が終了したならば、給水側接続金具２及び放水側接続金具３の接続を外し、集約して、持ち帰る。この場合においても、結束具Ｋは、その保持部２０が給水側接続金具２に保持されているので、分離して離散することがなく、そのため、紛失してしまう事態を防止することができる。そして、その後、結束具Ｋの保持部２０を給水側接続金具２から外して、結束具Ｋを分離し、各消防ホースＨ、及び、結束具Ｋを洗浄する。そして、適宜乾燥後、再び上記と同様に、ホース１を折り畳んで折畳体４を形成し、この折畳体４を結束具Ｋで結束して、消防車に積載するなどして保管し、次に備える。
【００３９】
尚、上記実施の形態においては、保持部２０の基端部２１及び先端部２２同士を面ファスナ２３で着脱可能にしたが、必ずしもこれに限定されるものではなく、単に、ループ状に形成しても良い。この場合は、保持部２０の内径を、給水側接続金具２より僅かに大きく形成し、挿通して被嵌可能にするとともに、被嵌後は引っかかりや摩擦抵抗により外れにくくする。
【符号の説明】
【００４０】
Ｋ  消防ホース用結束具
Ｈ  消防ホース
１  ホース
２  給水側接続金具
３  放水側接続金具
４  折畳体
１０  ベルト体
１１  一端部
１２  他端部
１３  長さ調整部材
１８  折曲部
１９  取っ手
２０  保持部
２１  基端部
２２  先端部
２３  面ファスナ
２６  滑り止め部材
３０  連結具（バックル）
３１  係合部
３２  被係合部
Ｗ  給水源
【図１】
2014079311.tif 000003
【図２】
2014079311.tif 000004
【図３】
2014079311.tif 000005
【図４】
2014079311.tif 000006
【図５】
2014079311.tif 000007
【図６】
2014079311.tif 000008
【図７】
2014079311.tif 000009